(57)【要約】      （修正有）【課題】使用後に絵はがきとして利用できるカレンダーを提供する。【解決手段】複数紙面からなるカレンダーであって、各紙面は、単数もしくは複数の異なる写真が印刷された写真欄２１と、単数月もしくは複数月の暦が印刷された暦欄２２とを有する表面と、表面の写真の大きさおよび向きに対応させて郵便番号記載欄と切手貼付欄が印刷された裏面と、により構成され、写真の周囲にはミシン目２４が打ち抜かれまたは印刷されており、ミシン目２４に沿って紙面を切り離すことにより、絵はがきとして使用することができる絵はがきカレンダー。【選択図】図２
0003174758.tif 000002
【実用新案登録請求の範囲】
【請求項１】
複数紙面からなるカレンダーであって、
各紙面は、
単数もしくは複数の異なる写真が印刷された写真欄と、単数月もしくは複数月の暦が印刷された暦欄と、を有する表面と、
表面の写真の大きさおよび向きに対応させて郵便番号記載欄と切手貼付欄が印刷された裏面と、
により構成され、
写真の周囲にはミシン目が打ち抜かれまたは印刷されており、
ミシン目に沿って紙面を切り離すことにより、絵はがきとして使用することができる絵はがきカレンダー。
【請求項２】
写真は、神社の祭日、祭典、その他の特定主題にかかる催事風景を写した写真であることを特徴とする請求項１に記載の絵はがきカレンダー。
【請求項３】
複数紙面により、連続した複数年分の暦となっていることを特徴とする請求項１または２に記載の絵はがきカレンダー。
【請求項４】
各年毎に所定のテーマに基づいて表面の写真が構成されていると共に各紙面からは複数の絵はがきが切り離し可能となっており、絵はがきを複数人へ送ることにより、当該所定のテーマを郵送先で看取可能に構成されていることを特徴とする請求項３に記載の絵はがきカレンダー
【考案の詳細な説明】
【技術分野】
【０００１】
本考案は、絵はがきカレンダーに関し、特に、複数紙面から構成される絵はがきカレンダーに関する。
【背景技術】
【０００２】
従来、カレンダーは、一枚物の一年暦、または、各月または２ヶ月の暦が印刷された複数紙面からなる暦がほとんどである。また、紙面には、大きく写真が印刷され、ポスター感覚で利用できるものも存在する。
【０００３】
このような写真入りのカレンダーは、自分や家族の趣味感により購入され、適宜、壁に掛けられて使用される。また、複数紙面からなる写真入りカレンダーは、該当月が終わると、切り離して次の紙面を表出させる。
【０００４】
しかしながら、従来の技術では以下の問題点があった。
まず、切り離された紙面は通常廃棄され、特に再利用されることがない。また、写真は大写しの１アングル（１風景等）が表示されているだけで、単数月、複数月、長い場合だと１年間同じものであるので、見飽きてしまう。そして、自分の趣味感にあわせた写真であるので、例えば、来訪者も気にかけることなく、特に話題になるようなことがない。
【先行技術文献】
【特許文献】
【０００５】
【特許文献１】特開平１１−９９７７３号公報
【特許文献２】実開平２−５０３６９号公報
【特許文献３】実用新案登録第３１７０６９４号
【考案の概要】
【考案が解決しようとする課題】
【０００６】
本考案は上記に鑑みてなされたものであって、使用後に絵はがきとして利用できるカレンダーを提供することを目的とする。また、神社の遷宮などの大きな催事を、催事に至る前から意識させ、また、遠方の者へもこれを通知して来訪意欲を向上させることも可能であって、話題作りもできるカレンダーを提供することを目的とする。
【課題を解決するための手段】
【０００７】
請求項１に記載の絵はがきカレンダーは、複数紙面からなるカレンダーであって、各紙面が、単数もしくは複数の異なる写真が印刷された写真欄と、単数月もしくは複数月の暦が印刷された暦欄と、を有する表面と、表面の写真の大きさおよび向きに対応させて郵便番号記載欄と切手貼付欄が印刷された裏面と、により構成され、写真の周囲にはミシン目が打ち抜かれまたは印刷されており、ミシン目に沿って紙面を切り離すことにより、絵はがきとして使用することができる絵はがきカレンダーである。
【０００８】
すなわち、請求項１にかかる考案は、各紙面の使用後に、写真を複数の絵はがきとして利用できる。
【０００９】
請求項２に記載の絵はがきカレンダーは、請求項１に記載の絵はがきカレンダーにおいて、写真が、神社の祭日、祭典、その他の特定主題にかかる催事風景を写した写真であることを特徴とする。
【００１０】
すなわち、請求項２にかかる考案は、一定の主題に関連する写真を用いたカレンダー兼絵はがきを提供することができる。換言すれば、神社の遷宮などの大きな催事を、催事に至る前から意識させ、また、遠方の者へもこれを通知して来訪意欲を向上させることも可能であって、話題作りもできるカレンダーを提供できる。
【００１１】
請求項３に記載の絵はがきカレンダーは、請求項１または２に記載の絵はがきカレンダーにおいて、複数紙面により、連続した複数年分の暦となっていることを特徴とする。
【００１２】
すなわち、請求項３にかかる考案は、神社の遷宮といった数十年に一度の大きな催事に関し、催事に至る前から期待感を醸成させ、また、遠方の者へも複数回ないし多数回、絵はがきによりこれを通知して注意喚起・来訪意欲を向上させることも可能となる。
【００１３】
請求項４に記載の絵はがきカレンダーは、請求項３に記載の絵はがきカレンダーにおいて、各年毎に所定のテーマに基づいて表面の写真が構成されていると共に各紙面からは複数の絵はがきが切り離し可能となっており、絵はがきを複数人へ送ることにより、当該所定のテーマを郵送先で看取可能に構成されていることを特徴とする。
【００１４】
すなわち、請求項４にかかる発明は、多数の者へ各年毎に送り手の思いを伝達することが可能となる。
【考案の効果】
【００１５】
本考案によれば、使用後に絵はがきとして利用できるカレンダーを提供することができる（請求項１）。また、神社の遷宮などの大きな催事を、催事に至る前から意識させ、また、遠方の者へもこれを通知して来訪意欲を向上させることも可能であって、話題作りもできるカレンダーを提供することができる（請求項２，３）。また、各年毎に、同一のテーマに従って多数の者へ送り手の思いを伝達することが可能となる（請求項４）。
【図面の簡単な説明】
【００１６】
【図１】本考案の一実施の形態を示したカレンダーの構成例であり、カレンダー表紙を示している。
【図２】表紙をめくったカレンダー二枚目の表面の構成例を示した図である。
【図３】図２に示したカレンダー二枚目の裏面の構成例を示した図である。
【考案を実施するための形態】
【００１７】
以下、本考案の実施の形態を図面を参照しながら詳細に説明する。ここでは、神社の遷宮を契機とした３年分の暦が印刷されたカレンダーであって、一紙面には２ヶ月分の暦が印刷されているものについて説明する。
【００１８】
図１は、本考案の一実施の形態を示したカレンダーの構成例であり、カレンダー表紙を示している。図２は、表紙をめくったカレンダー二枚目の表面の構成例を示した図である。図３は、図２に示したカレンダー二枚目の裏面の構成例を示した図である。
【００１９】
神社遷宮は数十年に一度の大きな催事であり、大きな神社では数年前に仮遷座をおこない、本遷宮前後にわたり摂社も含めて様々な催事が執り行われる。図１に示したように、カレンダー１の表紙１０には中央に大きく例祭等の写真１１を写し、上部には「○○神域探訪」、その下には「絵ハガキ３年暦」、更にその下には掲載年「［平成２５年・平成２６年・平成２７年］版」、右側には「○○大社  平成の大遷宮」と表記している。
【００２０】
これにより、写真と文字とにより、カレンダーの内容が一目して分かるようになっている。従って、例えば、元はこの神社近隣に住んでいて引越等により遠方にいってしまった親戚等に送れば、故郷を想起させることができることとなる。
【００２１】
また、観光案内所等で販売すれば、観光客も再度遷宮にあわせて再来訪してみたいと思う契機ともなる。また、事業所等でカレンダーを掛けておけば、打ち合わせの前後等の話題づくりともなる。
【００２２】
図２に示したように、カレンダー１の二枚目２０には、３枚の異なる写真が印刷された写真欄２１と、２ヶ月の暦が印刷された暦欄２２と、とを有する。暦欄２２には、土日、祝祭日の色分け、六曜の付記がされている（図示せず）。また、本実施の形態では、神社の祭日、祭典、その他の催事の日取りも適宜付記している。
【００２３】
写真欄２１の各写真は、神社の祭日、祭典、その他の催事の写真とし、特定主題により構成されるので、散漫な印象とならず、遷宮という一大祭典を常々意識することが可能となる。なお、各写真の下には、その写真に対するタイトル、関連文章が簡単に付記されている。これにより、次に説明する当該写真を絵はがきとして使用する際の利便性が高まる。
【００２４】
なお、写真欄２１と暦欄２２との間には、掲載月の神社の風景や催事を解説した解説欄２３を設ける。これにより、細かな様子を知ることができたり、新たな情報をえたりすることができ、神社に対する造詣を深め、遷宮等への関心がより一層醸成される。
【００２５】
また、写真欄２１には、各写真の周縁にミシン目２４を設けている。このミシン目２４に沿って写真を切り離すことにより、写真を絵はがきとして使用することができる。このカレンダー１の２枚目２０の紙面に関しては、３枚の絵はがきを切り出すことができる。
【００２６】
図３に示したように、裏面には、表面の写真の大きさおよび向きに対応させて郵便番号記載欄３１と切手貼付欄３２が印刷されている。絵はがきの下部を通信欄として、知人等にはがきを送ることができる。紙面一枚につき、複数の絵はがきができるので、本実施の形態では２ヶ月に一度、近況報告等をすることができる。また、送る相手を決めておけば、複数人に定期的に絵はがきを送ることができる。
【００２７】
絵はがきをもらった者は、神社の絵はがきが遷宮前から定期的に来るので、遷宮に参列する契機ともなり、また、遷宮後も、遷宮時の様子等を通信できるので、参列してもしなくても、現地の雰囲気を感じ取ることが可能となる。
【００２８】
また、遷宮が連続したり、地域の大型イベントが連続するような場合は、各年毎に、所定のテーマに基づいて表面の写真を構成し、かつ、各紙面から複数の絵はがきを切り離し可能とすれば、複数年にわたって、各年異なるテーマに基づく絵はがきを複数人へ送ることができ、来訪契機ともなり、観光振興にもつながり、親近感をより深くすることも可能となる。
【産業上の利用可能性】
【００２９】
本考案は、絵はがき３年暦として使用できるので、地域振興、観光振興、新規崇敬者確保等様々に利用することができる。
【符号の説明】
【００３０】
１        カレンダー
１０     表紙
１１     写真
２０     二枚目
２１     写真欄
２２     暦欄
２３     解説欄
２４     ミシン目
３１     郵便番号記載欄
３２     切手貼付欄
【図１】
0003174758.tif 000003
【図２】
0003174758.tif 000004
【図３】
0003174758.tif 000005